(57)【要約】      （修正有）【課題】より需要者（利用者）の注意を惹きつけるデザインを有する写真プリントを提供する。【解決手段】利用者を撮影した撮影画像を含む画像が印刷された写真プリントであって、撮影画像区画Ａ１１，Ａ１２，Ａ１３，Ｂ１１，Ｂ１２と、素材画像区画Ｃ１１，Ｃ１２，Ｃ１３，Ｃ１４，Ｃ１５，Ｃ１６，Ｃ１７，Ｃ１８，Ｄ１１とを含み、撮影画像区画Ａ１１，Ａ１２，Ａ１３，Ｂ１１，Ｂ１２、および、素材画像区画Ｃ１１，Ｃ１２，Ｃ１３，Ｃ１４，Ｃ１５，Ｃ１６，Ｃ１７，Ｃ１８，Ｄ１１は、重なり合うことなく配置され、撮影画像区画は、人物抜出形状形状Ｂ１１，Ｂ１２と、フレーム枠形状Ａ１１，Ａ１２，Ａ１３とを有し、素材画像区画Ｃ１１，Ｃ１２，Ｃ１３，Ｃ１４，Ｃ１５，Ｃ１６，Ｃ１７，Ｃ１８，Ｄ１１は、少なくとも２以上の異なる形状を有し、少なくとも、人物抜出形状形状Ｂ１１，Ｂ１２には、所定幅の縁取りが施されている。【選択図】図５
2017138511.tif 000002
【特許請求の範囲】
【請求項１】
利用者を撮影した撮影画像を含む印刷画像が写真プリント用紙に印刷された写真プリントであって、
前記印刷画像は、
前記撮影画像が印刷された複数の撮影画像区画と、
予め準備された素材画像が印刷された複数の素材画像区画と、
を含み、
複数の前記撮影画像区画、および、複数の前記素材画像区画は、重なり合うことなく、それぞれが独立した状態で配置され、
複数の前記撮影画像区画は、撮影された前記利用者の体型を抜き出した人物抜出形状と、予め準備されたフレーム枠形状と、を有し、
複数の前記素材画像区画は、少なくとも２以上の異なる形状を有し、
少なくとも、前記利用者の体型を抜き出した前記人物抜出形状には、所定幅の縁取りが施されている、
写真プリント。
【請求項２】
前記人物抜出形状は、前記利用者の全身の体型を抜き出した形状である、請求項１に記載の写真プリント。
【請求項３】
前記人物抜出形状は、前記利用者の全身の上半身を抜き出した形状である、請求項１に記載の写真プリント。
【請求項４】
複数の前記撮影画像区画の一つは、前記写真プリント用紙の中央に配置され、
中央に配置された前記撮影画像区画は矩形形状である、
請求項１から請求項３のいずれか１項に記載の写真プリント。
【発明の詳細な説明】
【技術分野】
【０００１】
この発明は、写真プリントに関する。
【背景技術】
【０００２】
写真撮影ブースにおいて、利用者が自らを含む被写体を撮影し、撮影された画像に好みのフレーム、おえかきと称する文字図柄の描画、背景を画像合成し、合成画像をシールプリントとして印刷出力する写真プリント作成装置（写真撮影ブース付きプリント自動販売機）が知られている。
【０００３】
このような、写真プリント、写真プリントの製造装置、および、写真プリント作成方法は、たとえば、特開２０１４−２３９３５３号公報（特許文献１）、および、特開２０１５−０３６８０４号公報（特許文献２）等が挙げられる。
【０００４】
特許文献１においては、写真プリント作成装置で作成された写真プリントは、縦横に規則正しく並べられた矩形の枠内に、印刷画像が規則正しく配置されている。また、特許文献２においては、矩形形状の写真シートの中に印刷画像が傾斜するように配置されている。
【先行技術文献】
【特許文献】
【０００５】
【特許文献１】特開２０１４−２３９３５３号公報
【特許文献２】特開２０１５−０３６８０４号公報
【発明の概要】
【発明が解決しようとする課題】
【０００６】
写真プリント作成装置の主たる利用者（需要者）は、中学生、高校生、大学生等の女性のグループ、男女のカップルである。近年では、写真プリント作成装置の撮影機能の高機能化が進み、より小顔に撮影する機能、瞳をより大きく撮影する機能、肌をより美白に撮影する機能、全身をスリムに撮影する機能等が付加されるようになり、利用者（需要者）の志向は、従来の「面白く写りたい」から「綺麗に写りたい」という強い願望に大きく変化している。
【０００７】
さらに、そのようにして撮影された画像に基づき加工および編集された印刷画像を、写真プリントにどのようなデザインで印刷するかが重要となってきている。
【０００８】
したがって、本発明の目的は、より需要者（利用者）の注意を惹きつけるデザインを有する写真プリントを提供することにある。
【課題を解決するための手段】
【０００９】
この発明に基づいた写真プリントにおいては、利用者を撮影した撮影画像を含む印刷画像が写真プリント用紙に印刷された写真プリントであって、上記印刷画像は、上記撮影画像が印刷された複数の撮影画像区画と、予め準備された素材画像が印刷された複数の素材画像区画と、を含み、複数の上記撮影画像区画、および、複数の上記素材画像区画は、重なり合うことなく、それぞれが独立した状態で配置され、複数の上記撮影画像区画は、撮影された上記利用者の体型を抜き出した人物抜出形状と、予め準備されたフレーム枠形状と、を有し、複数の上記素材画像区画は、少なくとも２以上の異なる形状を有し、少なくとも、上記利用者の体型を抜き出した上記人物抜出形状には、所定幅の縁取りが施されている。
【００１０】
他の形態においては、上記人物抜出形状は、上記利用者の全身の体型を抜き出した形状である。
【００１１】
他の形態においては、上記人物抜出形状は、上記利用者の全身の上半身を抜き出した形状である。
【００１２】
他の形態においては、複数の上記撮影画像区画の一つは、上記写真プリント用紙の中央に配置され、中央に配置された上記撮影画像区画は矩形形状である。
【発明の効果】
【００１３】
この発明によれば、より需要者（利用者）の注意を惹きつけるデザインを有する写真プリントを提供することを可能にする。
【図面の簡単な説明】
【００１４】
【図１】写真プリント作成装置を示す第１斜視図である。
【図２】写真プリント作成装置を示す第２斜視図である。
【図３】写真プリント作成装置の機能ブロックを示す図である。
【図４】写真プリント作成装置における作成方法の全体フローを示す図である。
【図５】写真プリント作成装置において作成された、実施例１の印刷画像が印刷された写真プリントを示す図である。
【図６】実施例１の印刷画像を形成する場合のレイヤを示す図である。
【図７】実施例１の印刷画像を形成する場合の第１レイヤを示す図である。
【図８】実施例１の印刷画像を形成する場合の第２レイヤを示す図である。
【図９】実施例１の印刷画像を形成する場合の第３レイヤを示す図である。
【図１０】実施例１の印刷画像を形成する場合の第４レイヤを示す図である。
【図１１】実施例１の印刷画像を形成する場合の第５レイヤを示す図である。
【図１２】実施例２の印刷画像が印刷された写真プリントを示す図である。
【図１３】実施例３の印刷画像が印刷された写真プリントを示す図である。
【図１４】実施例４の印刷画像が印刷された写真プリントを示す図である。
【発明を実施するための形態】
【００１５】
本発明に基づいた実施の形態における写真プリントについて、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態および関連技術における構成を適宜組み合わせて用いることは当初から予定されていることである。
【００１６】
（実施の形態：写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００１７】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００１８】
事前接客装置２０１は、コイン投入口２１０、操作モニタ２２０、および、スピーカ２３０を有する。撮影装置３００は、撮影用カメラ３１０、操作モニタ３２０、および、照明器具３３０、３４０を有する。画像編集装置４００は、操作モニタ４１０、および、タッチペン４２０Ｌ，４２０Ｒを有する。事後接客装置５００は、操作モニタ５１０および写真シール受取口５２０を有する。
【００１９】
（写真プリント作成装置１の機能ブロック）
図３を参照して、本実施の形態の写真プリント作成装置１の機能ブロックについて説明する。図３は、写真プリント作成装置１の機能ブロックを示す図である。
【００２０】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００２１】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２２】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２３】
本実施の形態では、ＣＰＵ１００３が制御プログラムを実行することにより、制御基板１００２が発光制御部１１００を介して、照明器具３３０、３４０の発光を制御する。
【００２４】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００２５】
通信部１００６は、インターネット等のネットワークを介して図示しないサーバと通信する。
【００２６】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００２７】
スピーカ２３０は、コンピュータ装置１００１から与えられる指示信号に基づいて、案内音声、ＢＧＭなどを出力する。
【００２８】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力された利用者の操作に応じて、制御信号を制御基板１００２に送信する。
【００２９】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３０】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により利用者（被写体）以外の領域を検知する。コンピュータ装置１００１は、利用者映像の顔部分に画像処理を施し、所定の画像サイズとなるように利用者映像をトリミングする。これにより、利用者を撮影した画像を用いた撮影画像が生成される。また、被写体以外の領域に選択された所望の背景画像を合成する。
【００３１】
コンピュータ装置１００１は、画像編集処理を実行する。コンピュータ装置１００１は制御プログラムを実行し、編集用の操作モニタ（編集用ディスプレイ）４１０、左側用タッチペン４２０Ｌ、および、右側用タッチペン４２０Ｒを用いた入力操作に応じて、制御信号を制御基板１００２に送信する。コンピュータ装置１００１は、操作モニタ４１０と接続され、それらを制御する。
【００３２】
操作モニタ４１０は、右側用タッチペン４２０Ｒ、および、左側用タッチペン４２０Ｌ等の接触を検知し、それに応じた指示信号をコンピュータ装置１００１に送信する、いわゆるタッチパネル方式である。操作モニタ４１０は、コンピュータ装置１００１から送信された編集画像を写真画像上に重ねて表示する。
【００３３】
スピーカ（図示省略）は、コンピュータ装置１００１から与えられる指示信号に基づいて、編集プレイのための操作方法などの案内、ＢＧＭなどを出力する。
【００３４】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者は携帯端末に写真画像、合成画像を取得できる。
【００３５】
コンピュータ装置１００１は、利用者の要求に応じて生成された合成画像および印刷画像を取得するのに必要なアクセス情報（たとえばＵＲＬ）を、非接触通信装置を介して利用者の携帯端末に送信してもよい。
【００３６】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００３７】
制御基板１００２は、コンピュータ装置１００１の他に、蛍光灯、コイン制御部、およびサービスパネルに接続される。
【００３８】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００３９】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップＳ２０）。撮影画像には、利用者の上半身が撮影された写真画像（アップ画像）、および、利用者の全身が撮影された写真画像（全身画像）が含まれる。全身画像には、利用者の全身が正面から撮影された写真画像（全身画像１）、および／または、利用者の全身を斜め上方から撮影した写真画像（全身画像２）が含まれる。一例として、アップ画像を３回撮影し、全身画像を２回撮影する。なお、これらの回数は適宜変更され、アップ画像のみを５回撮影する場合、または、全身画像のみ５回撮影するようにしてもよい。全身画像には、全身画像１および全身画像２のいずれか一方、または、混在するように撮影してもよい。
【００４０】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で作成した「編集画像」を合成し、「合成画像」を生成する写真画像合成処理を行なう（ステップＳ４０）。
【００４１】
生成した合成画像を所定のレイアウトに配置した複数のレイアウトを利用者に提示してレイアウトの選択を受け付け（ステップＳ５０）、選択を受け付けたレイアウトにしたがって合成画像を配置して、シートデザイン画像に合成画像が組み込まれた印刷画像を生成する印刷画像処理を行なう（ステップＳ６０）。
【００４２】
なお、上記合成画像の中には、らくがき処理で作成した編集画像が合成されていない処理画像も含まれるものとする。以下の説明において用いる合成画像も同様である。
【００４３】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００４４】
ここで、写真プリント用紙に印刷する印刷画像としての合成画像を作成する場合、通常、利用者を撮影した複数の撮影画像に対して、撮影画像の後方にレイアウトされる背景画像、撮影画像の前方にレイアウトされるフレーム画像、撮影画像を元に明るさや目の大きさ、脚の長さ等の処理が施された処理画像が形成される。さらに、利用者によるらくがき等の編集画像が合成されて、合成画像（印刷画像）が作成される。
【００４５】
また、本実施の形態では、撮影画像には、処理画像を含む撮影画像、および、処理画像を含まない撮影画像のいずれをも含むものとする。
【００４６】
なお、本実施の形態では、編集画像としては、背景画像、フレーム画像、スタンプ画像、および、ペン入力画像等の編集用画像で構成されるが撮影画像および処理画像以外に、他の画像を含む場合には、その画像も編集画像に含まれる。
【００４７】
さらに、編集画像の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、背景画像やフレーム画像は、合成しない処理を行なってもよい。
【００４８】
したがって、本実施の形態においては、背景画像、フレーム画像、スタンプ画像、およびペン入力画像等の編集用画像の少なくとも１つの画像を用いない場合や、少なくとも１つの画像が異なっている場合には、編集画像が異なっているといえる。
【００４９】
（写真プリントの実施例）
以下、図を参照しながら、各実施例における写真プリントについて説明する。
【００５０】
（実施例１）
図５を参照して、実施例１における写真プリントＰ１について説明する。図５は、実施例１の印刷画像が印刷された写真プリントＰ１を示す図である。
【００５１】
この写真プリントＰ１は、利用者を撮影した撮影画像を含む印刷画像が印刷された写真プリントＰ１である。上述の写真プリント作成装置１において作成された、印刷画像が印刷されている。本実施の形態において、写真プリントＰ１の写真プリント用紙１００のサイズは、縦約７６ｍｍ、横約１１７ｍｍ程度の大きさであるが、これはあくまでも一例であって、この大きさに限定はされない。
【００５２】
写真プリントＰ１は、印刷画像は、撮影画像が印刷された複数の撮影画像区画Ａ１１，Ａ１２，Ａ１３，Ｂ１１，Ｂ１２と、予め準備された素材画像が印刷された複数の素材画像区画Ｃ１１，Ｃ１２，Ｃ１３，Ｃ１４，Ｃ１５，Ｃ１６，Ｃ１７，Ｃ１８，Ｄ１１を含む。なお、写真プリントＰ１には、製品名Ｄ１２が印刷される。
【００５３】
複数の撮影画像区画Ａ１１，Ａ１２，Ａ１３，Ｂ１１，Ｂ１２、複数の素材画像区画Ｃ１１〜Ｃ１８，Ｄ１１、および、製品名Ｄ１２は、重なり合うことなく、それぞれが独立した状態で配置されている。写真プリントＰ１に対する複数の撮影画像区画Ａ１１，Ａ１２，Ａ１３，Ｂ１１，Ｂ１２、および、複数の素材画像区画Ｃ１１〜Ｃ１８，Ｄ１１を配置する向きは、本実施例の配置の向きに限定されるものではなく、任意に配置することができる。
【００５４】
撮影画像区画Ａ１１，Ａ１２，Ａ１３，Ｂ１１，Ｂ１２としては、撮影された利用者の体型を抜き出した人物抜出形状Ｂ１１，Ｂ１２と、予め準備されたフレーム枠形状Ａ１１，Ａ１２，Ａ１３とに分けることができる。フレーム枠形状Ａ１１には、丸型形状のフレーム枠に文字を付加しており、フレーム枠形状Ａ１２には、ハート型形状のフレーム枠に文字を付加しており、フレーム枠形状Ａ１３には、矩形形状のフレーム枠を採用している。
【００５５】
特に、矩形形状のフレーム枠を採用したフレーム枠形状Ａ１３を、写真プリント用紙１００の中央に配置し、他の全ての印刷画像（少なくとも、撮影画像を含む印刷画像）よりも大きく印刷されている。
【００５６】
ここで、写真プリント用紙１００に配置する、全ての印刷画像(少なくとも、撮影画像を含む印刷画像)が矩形形状である場合、矩形形状に対して所定幅の縁取りをする、もしくは矩形形状に対してではなく、矩形形状内の人物のみ（撮影画像）に対して縁取りをしたところで、あまりシール感が得られないという課題の発生が想定される。そこで、撮影された利用者の体型を抜き出した人物抜出形状のみに対して縁取りして配置することで、人物抜出形状を１枚１枚剥がせて使用できるシールのような印象を与えることができる。また、撮影画像区画Ｂ１１，Ｂ１２のように、全身画像については、撮影された利用者の体型を抜き出した人物抜出形状に対して縁取りをすることで、よりシールのような印象を与えることができるが、アップ画像については、そのような印象がない。
【００５７】
そこで、撮影画像区画Ａ１１，Ａ１２，Ａ１３のように、アップ画像については、撮影画像の上から丸型やハート型などの矩形形状とは異なるフレーム枠形状を重ねることにより、シールのような印象を与えることができる。ただ、時に利用者の顔や体の一部がフレーム枠形状で隠れる恐れがあるため、写真プリント用紙１００に対して、一番目を引く部分である写真プリント用紙１００の中央に配置するフレーム枠形状Ａ１３については、矩形形状であることが望ましい。
【００５８】
これにより、利用者を撮影した撮影画像を含むフレーム枠形状Ａ１３を中心として、他の印刷画像が印刷されている印象から、印刷画像が写真プリント用紙に対してまとまった印象を与えることを可能にしている。
【００５９】
本実施例では、人物抜出形状Ｂ１１，Ｂ１２は、利用者の全身の体型を抜き出した形状である。撮影画像区画Ａ１１，Ａ１２，Ａ１３，Ｂ１１，Ｂ１２は、本実施例では２名の利用者を撮影した場合を想定しているが、１名または、３名以上であっても同様である。
【００６０】
素材画像区画Ｃ１１〜Ｃ１８，Ｄ１１は、たとえば、ハートマークＣ１１，小物Ｃ１２、人形型Ｃ１３，靴Ｃ１４，乗り物Ｃ１５，鞄Ｃ１６，眼鏡Ｃ１７，動物Ｃ１８、文字Ｄ１１，Ｄ１２を含む。文字Ｄ１１は、予め準備された書体の文字を用いてもよいし、又は、利用者が作成した編集画像を用いてもよい。製品名Ｄ１２には、予め準備された書体の文字が用いられる。
【００６１】
撮影画像区画Ｂ１１，Ｂ１２は、それぞれ、所定幅の縁取りが施されている。素材画像区画Ｃ１１〜Ｃ１８，Ｄ１１は、所定幅の縁取りが施されている。撮影画像区画Ａ１１，Ａ１２，Ａ１３については、縁取りを施していない。各区画における縁取りについては、利用者の体型を抜き出した人物抜出形状Ｂ１１，Ｂ１２には、所定幅の縁取りが施されている。これにより、写真プリントＰ１に印刷された印刷画像に、剥がせるシールとしての印象を与え、さらに、写真プリントＰ１全体としてもシール感を表現することを可能とし、従来の写真プリントにはない斬新な印象を与えることができる。
【００６２】
全ての印刷画像の向きをランダムに配置した場合には、印刷画像が印刷された写真プリントＰ１に、乱雑な印象を与える。一方、全てを整列させた状態では、印刷画像が印刷された写真プリントＰ１に、単純な印象を与えることになる。
【００６３】
そこで、本実施例は、ハートマークＣ１１、および、小物Ｃ１２については、複数のパーツを整列した状態で配置している。これにより、乱雑な印象と単純な印象とが混在し、全体としてデザイン性に富んだ印象を与えることに成功している。なお、複数整列した状態で配置する印刷画像は、ハートマークＣ１１、および、小物Ｃ１２に限定されるものではなく、任意に設定することが可能である。
【００６４】
このように、本実施例における写真プリントＰ１によれば、印刷画像は、撮影画像が印刷された複数の撮影画像区画Ａ１１，Ａ１２，Ａ１３，Ｂ１１，Ｂ１２と、予め準備された素材画像が印刷された複数の素材画像区画Ｃ１１〜Ｃ１８，Ｄ１１とを含み、複数の撮影画像区画Ａ１１，Ａ１２，Ａ１３，Ｂ１１，Ｂ１２、および、複数の素材画像区画Ｃ１１〜Ｃ１８，Ｄ１１は、重なり合うことなく、それぞれが独立した状態で配置され、撮影画像区画Ａ１１，Ａ１２，Ａ１３には、利用者の上半身が撮影された写真画像（アップ画像）が用いられ、撮影画像区画Ｂ１１，Ｂ１２には、利用者の全身が撮影された写真画像（全身画像）が用いられている。さらに、撮影された利用者の体型を抜き出した人物抜出形状Ｂ１１，Ｂ１２と、予め準備されたフレーム枠形状Ａ１１，Ａ１２，Ａ１３と、を有し、複数の素材画像区画Ｃ１１〜Ｃ１８，Ｄ１１，Ｄ１２は、少なくとも２以上の異なる形状を有し、少なくとも、利用者の体型を抜き出した人物抜出形状Ｂ１１，Ｂ１２には、所定幅の縁取りが施されている。
【００６５】
このように印刷された写真プリントＰ１によれば、各画像がランダムにバラバラに均等に配置されることをなるべく避ける配置され、また、各画像が重なり合うことなく、それぞれが独立した状態で配置されている。これにより、１枚１枚の画像に対して、縁取りにした形状のままシールとして剥がして使用できるような印象を強く与えることができるとともに、写真プリントＰ１全体としてもシール感を表現することを可能とし、従来の写真プリントにはない斬新な印象を与えることを可能としている。
【００６６】
また、印刷画像に対して所定幅の縁取りを施す場合であっても、少なくとも、利用者の体型を抜き出した人物抜出形状Ｂ１１，Ｂ１２に対して、所定幅の縁取りを施すことで、印刷された写真プリントＰ１に対してシールのような印象をより高めることを可能としている。
【００６７】
以上、本実施例の写真プリントＰ１は、より需要者（利用者）の注意を惹きつけるデザインを有することとなる。
【００６８】
（印刷画像の階層構造）
次に、図６から図１１を参照して、上記のような写真プリントＰ１を作成する場合の、印刷画像の階層構造について説明する。図６は、本実施例の印刷画像を形成する場合のレイヤを示す図、図７から図１１は、本実施例の印刷画像を形成する場合の第１レイヤから第５レイヤを示す図である。
【００６９】
図６に示すように、上述の写真プリント作成装置１を用いて本実施例の印刷画像を形成する場合には、情報Ｅ１（ＱＲコード（登録商標）、年月日、時間、アドレス、ＩＤ、店名、ユーザ情報等）を有する第１レイヤＬ１１と（図７参照）、人物Ｂ（撮影形状をそのまま表示したい写真（撮影背景は無し）を有する第２レイヤＬ１２と（図８参照）、フレーム（写真の上に載せて抜き形状のみ写真が見えるようにする）を有する第３レイヤＬ１３と（図９参照）、人物Ａ（フレームの抜き形状で表示したい写真（撮影背景は無し）を有する第４レイヤＬ１４と（図１０参照）、背景を有する第５レイヤと（図１１参照）が用いられる。
積み重ねられる。
【００７０】
これにより、図５に示すような印刷画像が形成され、その印刷画像が写真プリント用紙１００に印刷されて写真プリントＰ１が得られる。
【００７１】
図７を参照して、第１レイヤＬ１１は、情報（ＱＲコード（登録商標）、年月日、時間、アドレス、ＩＤ、店名、ユーザ情報等）Ｅ１を有している。第１レイヤＬ１１は、情報Ｅ１以外の領域は透明である。
【００７２】
図８を参照して、第２レイヤＬ１２は、人物抜出形状Ｂ１１，Ｂ１２を形成する利用者の全身の撮影画像Ｂ１１１，Ｂ１２１を有している。第２レイヤＬ１２は、クロマキー手法により撮影画像の人物部分に対応する人物マスクを作成し、第２レイヤＬ１２に撮影画像を配置するときに、この人物マスクを用いてアルファー合成により、人物以外を透明にし、さらに、人物に所定幅の縁取りを施して、撮影画像Ｂ１１１，Ｂ１２１を生成している。第１レイヤＬ１２は、撮影画像Ｂ１１１，Ｂ１２１以外の領域は透明である。
【００７３】
図９を参照して、第３レイヤＬ１３は、フレーム枠形状Ａ１１，Ａ１２，Ａ１３のフレームＡ１１ｆ，Ａ１２ｆ，Ａ１３ｆと、素材画像区画Ｃ１１〜Ｃ１８，Ｄ１１，Ｄ１２を有している。フレーム枠形状Ａ１１，Ａ１２，Ａ１３内のドットハッチ領域ＤＨは、透明な領域を示し、フレーム枠形状Ａ１１，Ａ１２，Ａ１３以外の領域、および、素材画像区画Ｃ１１〜Ｃ１８，Ｄ１１，Ｄ１２以外の領域は、本実施例では白色である。なお、この白色は、最終的には、写真プリントＰ１の背景色となり、写真プリントの種類に応じて色彩が異なる。
【００７４】
図１０を参照して、第４レイヤＬ１４は、フレーム枠形状Ａ１１，Ａ１２，Ａ１３を形成する利用者の上半身の撮影画像Ａ１１１，Ａ１１２，Ａ１１３を有している。撮影画像Ａ１１１，Ａ１１２，Ａ１１３は、クロマキー手法により撮影画像の人物部分に対応する人物マスクを作成し、第４レイヤＬ１４に撮影画像を配置するときに、この人物マスクを用いてアルファー合成により、人物以外を透明にして生成している。第４レイヤＬ１４は、撮影画像Ａ１１１，Ａ１１２，Ａ１１３以外の領域は透明である。
【００７５】
図１１を参照して、第５レイヤＬ１５は、フレーム枠形状Ａ１３の背景色領域となる矩形背景Ａ１３ｆｂを有している。矩形背景Ａ１３ｆｂは、本実施例では黒色（縞ハッチング部分）である。この矩形背景Ａ１３ｆｂは、写真プリントの種類に応じて色彩が異なる。また、矩形背景Ａ１３ｆｂ以外の領域は白色である。この矩形背景Ａ１３ｆｂ以外の領域は、フレーム枠形状Ａ１１，Ａ１２の背景色となるから、写真プリントの種類に応じて色彩が異なる。
【００７６】
上記に示す第１レイヤＬ１１〜第５レイヤＬ１５をこの順に重ね合せることにより、図５に示すような印刷画像が形成され、その印刷画像が写真プリント用紙１００に印刷されて写真プリントＰ１が得られる。
【００７７】
なお、上記実施例では、第３レイヤＬ１３に素材画像区画Ｃ１１〜Ｃ１８，Ｄ１１，Ｄ１２を配置し、第５レイヤＬ１５には、矩形背景Ａ１１ｆｂのみを配置し、背景を白色としたが、たとえば、第３レイヤＬ１３には、フレームＡ１１ｆ，Ａ１２ｆ，Ａ１３ｆのみを配置して、背景を透明とし、第５レイヤＬ１５に、黒色の矩形背景Ａ１３ｆｂ、および、素材画像区画Ｃ１１〜Ｃ１８，Ｄ１１，Ｄ１２を配置し、背景色を白色としても、図５に示すような印刷画像を形成することが可能である。なお、黒色の矩形背景Ａ１３ｆｂおよび背景色の白色は、写真プリントの種類に応じて色彩が異なる。
【００７８】
（実施例２）
次に、図１２を参照して、実施例２の写真プリントＰ２ついて説明する。図１２は、実施例２の印刷画像が印刷された写真プリントＰ２を示す図である。
【００７９】
上述の実施例１における写真プリントＰ１と基本的構成は同じであり、撮影画像区画Ａ１１，Ａ１２，Ａ１３，Ｂ１１，Ｂ１２は、上述の実施例１における撮影画像区画Ａ１１，Ａ１２，Ａ１３，Ｂ１１，Ｂ１２と同じ印刷画像である。一方、素材画像区画Ｃ１１，Ｃ１２，Ｃ１３，Ｃ１４，Ｃ１５，Ｃ１７，Ｄ１１，Ｄ１２は、上述の実施例１における素材画像区画Ｃ１１，Ｃ１２，Ｃ１３，Ｃ１４，Ｃ１５，Ｃ１７，Ｄ１１，Ｄ１２と外形形状が異なっている。
【００８０】
この実施例２の写真プリントＰ２においても、実施例１の写真プリントＰ１と同様の作用効果を得ることができる。また、たとえば、利用者がカップルとしての撮影を希望する場合には、カップルに似合うデザインを、撮影画像区画Ａ１１，Ａ１２，Ａ１３，Ｂ１１，Ｂ１２の位置を変更することなく、素材画像区画Ｃ１１〜Ｃ１８，Ｄ１１のみを変更することのみで、写真プリントの印象を変更することを可能としている。
【００８１】
（実施例３）
次に、図１３を参照して、実施例３の写真プリントＰ３ついて説明する。図１３は、実施例３の印刷画像が印刷された写真プリントＰ３を示す図である。
【００８２】
上述の実施例１における写真プリントＰ１と基本的構成は同じであり、フレーム枠形状Ａ１１，Ａ１２，Ａ１３は、上述の実施例１における撮影画像区画Ａ１１，Ａ１２，Ａ１３と同じ印刷画像である。一方、アップ画像を５回撮影した場合には、人物抜出形状Ｂ２１，Ｂ２２には、利用者の上半身が撮影された写真画像（アップ画像）が用いられている。素材画像区画Ｃ１１，Ｃ１２，Ｃ１３，Ｃ１４，Ｃ１５，Ｃ１６，Ｃ１７，Ｃ１８，Ｄ１１，Ｄ１２は、上述の実施例１における素材画像区画Ｃ１１，Ｃ１２，Ｃ１３，Ｃ１４，Ｃ１５，Ｃ１６，Ｃ１７，Ｃ１８，Ｄ１１，Ｄ１２と同じ印刷画像が用いられている。
【００８３】
この実施例３の写真プリントＰ３においても、実施例１の写真プリントＰ１と同様の作用効果を得ることができる。また、たとえば、利用者がアップ画像を好む場合であっても、撮影画像区画Ａ１１，Ａ１２，Ａ１３，Ｂ１１，Ｂ１２の位置を変更することなく、写真プリントの印象を変更することを可能としている。
【００８４】
（実施例４）
次に、図１４を参照して、実施例４の写真プリントＰ４ついて説明する。図１４は、実施例４の印刷画像が印刷された写真プリントＰ４を示す図である。
【００８５】
上述の実施例１における写真プリントＰ１と基本的構成は同じであり、フレーム枠形状Ａ１１，Ａ１２，Ａ１３は、上述の実施例１における撮影画像区画Ａ１１，Ａ１２，Ａ１３と同じ印刷画像である。一方、アップ画像を５回撮影した場合には、人物抜出形状Ｂ２１，Ｂ２２には、利用者の上半身が撮影された写真画像（アップ画像）が用いられている。また、素材画像区画Ｃ１１，Ｃ１２，Ｃ１３，Ｃ１４，Ｃ１５，Ｃ１７，Ｄ１１，Ｄ１２は、上述の実施例１における素材画像区画Ｃ１１，Ｃ１２，Ｃ１３，Ｃ１４，Ｃ１５，Ｃ１７，Ｄ１１，Ｄ１２と外形形状が異なっている。
【００８６】
この実施例４の写真プリントＰ４においても、実施例１の写真プリントＰ４と同様の作用効果を得ることができる。また、たとえば、利用者がカップルとしての撮影を希望する場合には、カップルに似合うデザインを、撮影画像区画Ａ１１，Ａ１２，Ａ１３，Ｂ１１，Ｂ１２の位置を変更することなく、素材画像区画Ｃ１１〜Ｃ１８，Ｄ１１のみを変更することのみで、写真プリントの印象を変更することを可能としている。
【００８７】
以上、本発明の実施の形態における写真プリントについて説明したが、今回開示された実施の形態および実施例は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【００８８】
１  写真プリント作成装置、１００  写真プリント用紙、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０Ｌ  左側用タッチペン、４２０Ｒ  右側用タッチペン、５００  事後接客装置（シール自動販売機用事後利用者操作機）、５１０  操作モニタ、５２０  写真シール受取口、６００  プリンタ、１０００  制御装置、１００１  コンピュータ装置、１００２  制御基板、１００３  ＣＰＵ、１００４  ＨＤＤ、１００５  メモリ、１００６  通信部、Ａ１１，Ａ１２，Ａ１３，Ｂ１１，Ｂ１２  撮影画像区画、Ｃ１１，Ｃ１２，Ｃ１３，Ｃ１４，Ｃ１５，Ｃ１６，Ｃ１７，Ｃ１８，Ｄ１１，Ｄ１２  素材画像区画、Ｌ１１  第１レイヤ、Ｌ１２  第２レイヤ、Ｌ１３  第３レイヤ、Ｌ１４  第４レイヤ、Ｌ１５  第５レイヤ、Ｐ１，Ｐ２，Ｐ３，Ｐ４  写真プリント。
【図１】
2017138511.tif 000003
【図２】
2017138511.tif 000004
【図３】
2017138511.tif 000005
【図４】
2017138511.tif 000006
【図５】
2017138511.tif 000007
【図６】
2017138511.tif 000008
【図７】
2017138511.tif 000009
【図８】
2017138511.tif 000010
【図９】
2017138511.tif 000011
【図１０】
2017138511.tif 000012
【図１１】
2017138511.tif 000013
【図１２】
2017138511.tif 000014
【図１３】
2017138511.tif 000015
【図１４】
2017138511.tif 000016